(57)【特許請求の範囲】
【請求項１】
背凭れと、前記背凭れに取り付けられるオプション部品と、を備え、
前記背凭れは、背枠と、該背枠の前面側に架設されて前記背凭れの荷重受面を形成する面材と、を備え、
前記背枠は、枠本体部から背枠内周側へ突出するとともにオプション部品を取り付け可能な突出部を備え、
前記突出部は、前記枠本体部の背面と連続するように背枠内周側へ延びる第一壁部と、該第一壁部の延出端から前記面材側へ延びる第二壁部と、を有し、前記枠本体部に沿って延在しており、
前記オプション部品は、
前記第二壁部の延出端側から前記第二壁部に被嵌する嵌合凹部を有する第一部材と、
前記第一部材に背枠内周側から当接する内周側当接部、および前記第二壁部に基端側から当接する基端側当接部を有する第二部材と、
前記第一部材および前記第二部材を一体に締結して前記突出部を挟持させる締結手段と、
を備えている、椅子。
【請求項２】
前記第一部材は、前記内周側当接部に背枠外周側から当接する外周側当接部を有し、
前記締結手段は、背枠内周側から前記内周側当接部および前記外周側当接部を貫通して前記第一部材に螺着される締結ボルトを有し、
前記内周側当接部および前記外周側当接部の少なくとも一方には、前記締結ボルトと直交する平面に対して傾斜する傾斜面が形成され、
前記第一部材および前記第二部材は、前記締結ボルトを締め込むほど前記傾斜面に沿って摺動し、前記第二壁部を延出方向で挟み込み可能とされている、請求項１に記載の椅子。
【請求項３】
前記第一部材は、前記嵌合凹部の背枠外周側で前記第二壁部に当接可能な外周側挟持部を有し、
前記第二部材は、前記第二壁部を挟んで前記外周側挟持部の背枠内周側に位置して前記第二壁部に背枠内周側から当接可能な内周側挟持部を有し、
前記締結手段により前記第一部材および前記第二部材を締結した状態で、前記外周側挟持部と前記内周側挟持部との間に前記第二壁部が延出方向と直交する厚さ方向で挟み込まれている、請求項１又は２に記載の椅子。
【発明の詳細な説明】
【技術分野】
【０００１】
本発明は、オプション部品の取り付けに好適な椅子の背凭れ、およびそれを備える椅子に関する。
【背景技術】
【０００２】
従来、背枠と、該背枠の前面側に架設されて荷重受面を形成する面材と、前記背枠の背面側に位置するように前記背枠に取り付けられるハンガー等のオプション部品（追加機能部品）と、を備える椅子として、例えば、下記特許文献１，２に開示されるものがある。
特許文献１には、背枠の上杆部にこれを前後から挟み込むように外嵌する二種類のオプション支持部材を取り付けた上で、これらの支持部材にオプション部品本体を支持する構造が開示されている。
特許文献２には、背枠の上杆部の下方からオプション支持部材を当接させた上で、該オプション支持部材を上杆部に背面側から螺着するのみとした構造が開示されている。
【先行技術文献】
【特許文献】
【０００３】
【特許文献１】特許第５５７６１１０号公報
【特許文献２】特開２０１３−１４４０１４号公報
【発明の概要】
【発明が解決しようとする課題】
【０００４】
上記した椅子において、背凭れはオプション部品を取り付けない態様でも使用されることがある。したがって、オプション部品の有無によらず、基本となる背凭れのデザインに大きな印象の相違が無いようにすることが求められる。
しかし、特許文献１に開示される構造では、背枠の上杆部に外嵌する大型の支持部材にオプション部品本体をさらに支持する構造であるので、オプション部品の取り付け面積は大きく確保できるものの、オプション部品の有無による外観的な印象の変化が著しい。
特許文献２に開示される構造では、オプション部品の有無による外観的な印象の変化は小さいものの、オプション部品が背凭れに対して背面側を向く片持ち状に支持されることになり、オプション部品の支持剛性の確保が難しい。
【０００５】
本願発明は、上記の技術的課題に鑑みてなされたもので、オプション部品の有無による外観の変化を抑えた上で、屈強かつ小型軽量なオプション部品の取り付けを可能とする椅子の背凭れ、およびそれを備える椅子を提供することを目的とする。
【課題を解決するための手段】
【０００６】
上記課題の解決手段として、本発明の椅子の背凭れは、背枠と、該背枠の前面側に架設されて荷重受面を形成する面材と、を備え、前記背枠は、枠本体部から背枠内周側へ突出するとともにオプション部品を取り付け可能とする突出部を備え、前記突出部は、前記枠本体部の背面と連続するように背枠内周側へ延びる第一壁部と、該第一壁部の延出端から前記面材側へ延びる第二壁部と、を有し、前記枠本体部に沿って延在している。
【０００７】
この構成によれば、背枠におけるオプション部品を取り付けるための突出部が、枠本体部の背面と連続するように延びる第一壁部を有するとともに、枠本体部に沿って延在するので、オプション部品の取り付け部となる突出部と枠本体部とが一体的な外観を形成し、背枠が太く屈強な外観を演出するとともに、突出部が実際に背枠の補強となり、背枠の剛性およびオプション部品の取り付け剛性を高めることができる。
また、突出部は、第一壁部の延出端から面材側へ延びる第二壁部を有するので、より効果的かつ軽量な補強となり、さらに面材と反対側（背面側）への張り出しも抑え、背枠の小型化を図ることができる。
そして、オプション部品が背枠の内周側に取り付けられるので、オプション部品が背枠に外嵌するような構成に比べて、オプション部品の有無による外観の変化を抑えることができる。
【０００８】
また、上記椅子の背凭れにおいて、前記突出部は、前記第一壁部および前記第二壁部の間に屈曲部を有する断面Ｌ字形状をなして延在している構成としてもよい。
この場合、突出部の剛性をより効果的に確保し、かつ突出部の成形も容易にすることができる。
【０００９】
また、上記椅子の背凭れにおいて、前記第二壁部の延出端と前記面材とが互いに離間している構成としてもよい。
この場合、オプション部品の取り付け部が突出部の面材側に回り込むような構成であっても、オプション部品の取り付けを容易にすることができる。また、突出部と面材との間に指を入れることで、突出部を取っ手として利用することが可能となり、別途の取っ手を設けることなく椅子の取り回しを容易にすることができる。
【００１０】
また、本発明の椅子は、上記した椅子の背凭と、前記突出部れに取り付けられるオプション部品と、を備え、前記オプション部品は、前記第二壁部の延出端側から前記第二壁部に被嵌する嵌合凹部を有する第一部材と、前記第一部材に背枠内周側から当接する内周側当接部、および前記第二壁部に基端側から当接する基端側当接部を有する第二部材と、前記第一部材および前記第二部材を一体に締結して前記突出部を挟持させる締結手段と、を備えている。
この構成によれば、第一部材の嵌合凹部と第二部材の基端側当接部とで第二壁部を挟み込み、嵌合凹部からの第二壁部の離脱を規制した状態で、オプション部品が締結手段を用いて突出部を挟持するので、突出部の近傍という小さな領域のみでオプション部品の取り付けを完結させることができる。したがって、オプション部品を有する状態と有さない状態において、外観上の印象に大きな差異を無くすことができる。
【００１１】
また、上記椅子において、前記第一部材は、前記内周側当接部に背枠外周側から当接する外周側当接部を有し、前記締結手段は、背枠内周側から前記内周側当接部および前記外周側当接部を貫通して前記第一部材に螺着される締結ボルトを有し、前記内周側当接部および前記外周側当接部の少なくとも一方には、前記締結ボルトと直交する平面に対して傾斜する傾斜面が形成され、前記第一部材および前記第二部材は、前記締結ボルトを締め込むほど前記傾斜面に沿って摺動し、前記第二壁部を延出方向で挟み込み可能とされている構成としてもよい。
この場合、第一部材と第二部材とが締結ボルトにより締結されたとき、第一部材および第二部材が傾斜面に沿って互いに摺動して第二壁部を延出方向で挟み込むので、突出部に対してオプション部品を堅牢に取り付けることができる。
また、締結ボルトは背枠内周側から取り付けられるので、締結ボルトが第二壁部の延出方向に沿うように背面側から取り付けられる場合と比べて、締結ボルトが目立たなくなり、その上で第二部材を延出方向で挟み込んでオプション部品を取り付けることができる。
また、第二壁部、すなわち背枠側にナット又はボルト挿通孔を設ける必要が無くなるので、オプション非装着時における外観体裁の変化をより小さくすることができる。また、これに付随し、オプション付き仕様とオプション無し仕様とを共通化することができるので、管理コストを小さくすることができる。
このように、第一部材および第二部材並びにこれらに支持されるオプション部品を、背凭れに対して堅牢に支持し、かつ外観性を良好にすることができる。
【００１２】
また、上記椅子において、前記第一部材は、前記嵌合凹部の背枠外周側で前記第二壁部に当接可能な外周側挟持部を有し、前記第二部材は、前記第二壁部を挟んで前記外周側挟持部の背枠内周側に位置して前記第二壁部に背枠内周側から当接可能な内周側挟持部を有し、前記締結手段により前記第一部材および前記第二部材を締結した状態で、前記外周側挟持部と前記内周側挟持部との間に前記第二壁部が延出方向と直交する厚さ方向で挟み込まれている構成としてもよい。
この場合、第一部材および第二部材の締結時には、第二壁部が延出方向と直交する厚さ方向でも挟持されるので、より強固な取り付け構造とすることができる。
【発明の効果】
【００１３】
本発明によれば、オプション部品の有無による外観の変化を抑えた上で、屈強かつ小型軽量なオプション部品の取り付けを可能とする椅子の背凭れ、およびそれを備える椅子を提供することができる。
【図面の簡単な説明】
【００１４】
【図１】本発明の実施形態における椅子の前面側の斜視図である。
【図２】上記椅子の後面側の斜視図である。
【図３】上記椅子の背凭れの分解斜視図である。
【図４】上記背凭れの背枠の上部の前面図である。
【図５】図４のＶ−Ｖ断面図である。
【図６】図４のＶＩ−ＶＩ断面図である。
【図７】上記椅子のオプション部品の支持部材の背面側の斜視図である。
【図８】上記支持部材の前面側の斜視図である。
【図９】図７の分解斜視図である。
【図１０】図８の分解斜視図である。
【図１１】上記椅子にオプション部品としてハンガーユニットを取り付けた状態の図２に相当する斜視図である。
【発明を実施するための形態】
【００１５】
以下、本発明の一実施形態について図面を参照して説明する。なお、以下の説明において、前後上下左右等の向きは、椅子１に正規姿勢で着座した着座者の正面側を「前」、その逆側を「後」とし、上下左右も着座者から見た向きと同一とする。また、図中において、矢印ＵＰは上方を示し、矢印ＦＲは前方を示し、ＬＨは左方を示している。
【００１６】
図１、図２に示すように、椅子１は、フロアＦ上に載置される脚部２と、脚部２の上端部に設置されるボックス状の支基３と、支基３上に支持される座体４と、座体４の左右両側に配置される肘掛５と、支基３の後端部から上方に延びる背凭れ６と、を備えている。
【００１７】
脚部２は、多岐脚７と、多岐脚７の中央部から立設された脚柱８と、を備えている。多岐脚７の各脚には、フロアＦ上を走行可能なキャスタ７ａが取り付けられている。脚柱８には、昇降機構である図示しないガススプリング等が内蔵されている。
支基３は、脚柱８の上端部に取り付けられている。支基３には、上述した昇降機構を調整する図示しない昇降調整機構、および背凭れ６の図示しない傾動調整機構等が内蔵されている。
【００１８】
座体４は、着座者の臀部を下方から支持する。
肘掛５は、支基３から左右外側に延出した後に上方に向けて湾曲して延び、座体４の上方の左右外側に前後に延びる肘掛面５ａを配置して、着座者の肘を下方から支持する。
背凭れ６は、座体４および肘掛５の後方に配置されている。背凭れ６は、着座者の腰部および背部を後方から支持する。背凭れ６は、平面視で後方に向けて凸の円弧状をなし、側面視で緩やかなＳ字状をなすように形成されている。
【００１９】
図３、図４に示すように、背凭れ６は、そのフレームとして機能する背枠１１と、背枠１１に設けられる本発明における面材としての張材１２と、背枠１１を支基３に取り付けるための取付ブラケット１３と、を備えている。図４中線ＣＬは左右中心線を示す。
【００２０】
背枠１１は、正面視で概略矩形の枠状に形成されている。背枠１１は、着座者の荷重を支持するにあたり、強度部材として機能する。背枠１１は、左右両側に配置されて上下に延びる左右一対の縦杆部１６と、左右縦杆部１６の上端部間に渡って左右に延びる上杆部１７と、左右縦杆部１６の下端部間に渡って左右に延びる下杆部１８と、を備えている。下杆部１８には、下方に向かうに従って前方に延びる取付アーム１９が連設されている。背枠１１および取付アーム１９は、例えば合成樹脂製とされ、射出成形により一体形成されている。なお、背枠１１と取付アーム１９とが互いに別体に形成される構成でもよい。
【００２１】
取付ブラケット１３は、取付アーム１９の前端部に設けられている。取付ブラケット１３は、取付アーム１９の前方に延出し、その前端部が座体４の下方において支基３に取り付けられている。取付ブラケット１３は、例えば鋼板製とされている。
【００２２】
背枠１１の各杆部１６〜１８には、張材１２を取り付けるための嵌合凹部２１〜２３が形成されている。左右縦杆部１６にはそれぞれ縦嵌合凹部２１が形成され、上杆部１７には上嵌合凹部２２が形成され、下杆部１８には下嵌合凹部２３が形成されている。
縦嵌合凹部２１は、縦杆部１６において左右外側に向けて開口し、上嵌合凹部２２は、上杆部１７において後方に向けて開口し、下嵌合凹部２３は、下杆部１８において前方に向けて開口する。これらの嵌合凹部２１〜２３は、背枠１１に沿うように無端状に連なっている。各嵌合凹部２１〜２３には、その開口側から張材１２外周の縁材２６〜２８がそれぞれ嵌入されて保持されている。
【００２３】
張材１２は、背枠１１における各杆部１６〜１８で画成される開口部１５を前方から覆っている。張材１２は、シート本体２５と、シート本体２５の外縁部に固着された縁材２６〜２８と、を備えている。
【００２４】
シート本体２５は、例えば伸縮性を有する合成樹脂製の繊維がメッシュ状に組み合わされて形成されている。なお、シート本体２５は、メッシュ状に限らず、例えば布状やフィルム状等の態様であってもよい。
【００２５】
縁材２６〜２８は、例えばシート本体２５の構成材料よりも剛性が高く、背枠１１よりも剛性の低い（軟質な）合成樹脂製とされている。シート本体２５の左右両側縁部にはそれぞれ縦縁材２６が固着され、シート本体２５の上縁部には上縁材２７が固着され、シート本体２５の下縁部には下縁材２８が固着されている。
【００２６】
各縁材２６〜２８は、シート本体２５の外縁部を保持した状態で、各嵌合凹部２１〜２３の対応するものにその開口側から差し込まれる。これにより、シート本体２５が背枠１１の前面および外周面を覆うように張設されて、所定の湾曲形状をなす荷重受面１２ａを形成する。
【００２７】
図５、図６に示すように、背枠１１の上杆部１７は、その長さ方向（概ね左右方向）に直交する断面視において、概略Ｓ字状の断面形状をなし、背凭れ６上縁の湾曲形状に沿って延びている。上杆部１７は、上記断面視において、後方へ開放する上嵌合凹部２２を形成する概略Ｕ字状の断面形状をなす枠本体部３１と、枠本体部３１から背枠内周側へ突出するとともにオプション部品として後述するハンガーユニット４０を取り付け可能とする突出部３５と、を一体に有している。
【００２８】
枠本体部３１は、上嵌合凹部２２の上方（背枠外周側）に位置する上壁部３２と、上嵌合凹部２２の下方（背枠内周側）に位置する下壁部３３と、上嵌合凹部２２の前方に位置する前壁部３４と、を有している。上壁部３２の上面から前壁部３４の前面に渡る外面は、張材１２を緩やかに湾曲させる湾曲面３１ａとされている。
【００２９】
突出部３５は、上記断面視でＬ字状の断面形状をなして上杆部１７に沿って延在している。突出部３５は、枠本体部３１の下壁部３３の背面側から枠本体部３１の背面３１ｂと連続する下部背面３６ａを形成するように背枠内周側（下方）へ延びる第一壁部３６と、第一壁部３６の延出端（下端）から張材１２側（前方）へ延びる第二壁部３７と、を有している。第一壁部３６と第二壁部３７との間には、屈曲部３８が形成されている。第二壁部３７の延出端３７ａ（前端）と張材１２とは互いに離間し、これらの間には間隙Ｋ１が形成されている。
【００３０】
上杆部１７は、上記した概略Ｓ字状の断面形状を形成することで、外観上のボリュームを確保しつつ軽量化および板厚の均等化を図っている。また、第二壁部３７の延出端３７ａと張材１２との間の間隙Ｋ１により、突出部３５と張材１２との間にハンガーユニット４０の支持部材の一部を配置したり指を差し入れたりすることが可能となっている。
【００３１】
突出部３５の内側（前面側）には、背枠１１に沿う軸線と直交する平板状のリブ３９が複数形成されている。リブ３９は、枠本体部３１の下面、第一壁部３６の前面および第二壁部３７の上面に跨って接続されており、前方に向けて開放する断面形状の突出部３５を補強している。
【００３２】
図４、図１１を併せて参照し、ハンガーユニット４０は、上杆部１７に固定されるホルダー４１と、ホルダー４１に高さ調整可能に支持されるハンガー本体４５と、を備えている。
ホルダー４１は、ハンガー本体４５の後術するロッド部４７が昇降自在に挿入されるガイド筒部４２と、ガイド筒部４２の上部前側に連設されてホルダー４１を上杆部１７の突出部３５に固定可能とするホルダー固定部４３と、を備えている。
【００３３】
ホルダー４１は、ガイド筒部４２に挿入されたロッド部４７が最大上昇位置まで移動したときにロッド部４７をガイド筒部４２に固定する不図示のロック機構を備えている。ガイド筒部４２の背面には、前記ロック機構によるロッド部４７の固定を解除する解除ボタン４７ａ（図１１参照）を配置するための孔部４２ａが設けられている。
ハンガー本体４５は、上杆部１７に取り付けられた状態で左右方向に略水平に延出する衣服吊り下げ部４６と、衣服吊り下げ部４６の左右中央部から下方に突出するロッド部４７と、を備えている。
【００３４】
図５〜図１０を参照し、ホルダー固定部４３は、上下に延びるガイド筒部４２よりも左右幅を広げるように設けられ、上杆部１７の突出部３５の左右中央部において所定の左右幅に渡って突出部３５に嵌合される。
ホルダー固定部４３は、第二壁部３７の延出端側（前方）から第二壁部３７に被嵌する嵌合凹部５２を有する第一部材５１と、第一部材５１に背枠内周側（下方）から当接する内周側当接部６２、および第二壁部３７に基端側（後方）から当接する基端側当接部６３を有する第二部材６１と、第一部材５１および第二部材６１を一体に締結して突出部３５を挟持させる締結手段と、を備えている。第一部材５１および第二部材６１並びにガイド筒部４２は、例えば合成樹脂製とされている。ガイド筒部４２と第二部材６１とは一体形成されている。
【００３５】
第一部材５１は、嵌合凹部５２の背枠外周側に位置する外周側壁部５３と、嵌合凹部５２の背枠内周側に位置する内周側壁部５４と、嵌合凹部５２の前方に位置する前壁部５５と、を有している。
【００３６】
内周側壁部５４の背枠内周側には、第二部材６１の内周側当接部６２に背枠外周側（上方）から当接する外周側当接部５６が形成されている。外周側当接部５６および内周側当接部６２は、ホルダー固定部４３の左右両側に離間して一対に設けられている。ホルダー固定部４３の左右における外周側当接部５６および内周側当接部６２が設けられる部位は、それぞれ締結手段７１により締結される一対の締結部とされている。
【００３７】
内周側壁部５４は、外周側壁部５３に対して左右幅を狭めている。換言すると、内周側壁部５４の側方であって、尚且つ外周側壁部５３の下方である部位には、空隙部５４ａが形成されている。内周側壁部５４は、左右両端に臨む部位にそれぞれ外周側当接部５６を配置している。内周側壁部５４は、一対の外周側当接部５６の間に、外周側当接部５６の後端５６ｔよりも前方に凹む内側切り欠き部５４ｂを形成している。以下、外周側壁部５３の後部で内側切り欠き部５４ｂよりも後方に張り出す部位を外周側挟持部５３ａという。
【００３８】
外周側当接部５６には、後方側ほど背枠内周側（下方）に位置するように傾斜する第一傾斜面５６ａが形成されている。一方、第二部材６１の内周側当接部６２には、第一傾斜面５６ａと整合するように傾斜する第二傾斜面６２ａが形成されている。各傾斜面は、締結手段７１における締結ボルト７２の首下を貫通させている。
【００３９】
第一部材５１の内周側壁部５４内には、第一傾斜面５６ａを貫通した締結ボルト７２の首下を螺合させるナット７３が配置されている。内周側壁部５４の前端には、ナット７３を出し入れ可能とする開口５４ｃが形成されている。
第二部材６１には、締結ボルト７２を貫通させるとともに座刳り部６４ａを有するボルト挿通孔６４が形成されている。ボルト挿通孔６４は、後述する第一部材５１および第二部材６１の摺動を許容するべく、締結ボルト７２の首下よりも大径に形成されている。
【００４０】
各傾斜面は、締結ボルト７２の軸方向と直交する平面（締結方向と直交する平面）に対して傾斜しており、締結ボルト７２が締め込まれると、各傾斜面に沿って第一部材５１および第二部材６１を互いに摺動させる。このとき、締結ボルト７２が締め込まれるほど、第一部材５１に対して第二部材６１が上方かつ前方（張材１２側）に移動し、基端側当接部６３が突出部３５を前方に押圧して、第二壁部３７を第一部材５１の嵌合凹部５２内に押し込む。そして、第二壁部３７の延出端３７ａ（前端）が嵌合凹部５２の底面（前壁部５５の後面）に押圧された状態で、第一部材５１および第二部材６１に第二壁部３７がその延出方向（概ね前後方向）で挟み込まれる。
【００４１】
なお、第一部材５１および第二部材６１が互いに整合する傾斜面を有することで摺動が滑らかになるが、第一部材５１および第二部材６１の一方のみに傾斜面が形成されて、該傾斜面が他方の所定部位に摺接する構成であってもよい。
【００４２】
第二部材６１の基端側当接部６３は、突出部３５の第一壁部３６が形成する下部背面３６ａに後方から整合するように当接する。第二部材６１の前部上側には、第二壁部３７の下面に下方から整合するように当接する第二部材上面６５が形成されるとともに、第二部材上面６５を切り欠いて第一部材５１の内周側壁部５４を整合状態で入り込ませる上面切り欠き部６６が形成されている。上面切り欠き部６６の左右両側には、内周側壁部５４の両側方の左右空隙部５４ａに整合する左右棚部６７が形成されている。第二部材６１の上面切り欠き部６６および第一部材５１の内周側壁部５４は、互いに凹凸嵌合することで、第一部材５１および第二部材６１を相対的に位置決めしている。
【００４３】
基端側当接部６３は、第一壁部３６の上端近傍まで延びており、この基端側当接部６３の上部が、第一壁部３６の上端近傍で下部背面３６ａに当接することで、ホルダー４１のガイド筒部４２を手で保持した状態で椅子１を移動させようとした場合に、ガイド筒部４２が上方へ過剰に変位しようとする動きを規制するべく機能する。すなわち、ガイド筒部４２は、突出部３５よりも背面側で下方に延出しており、このガイド筒部４２を取っ手として椅子１を移動させようとすると、ホルダー４１が嵌合する第二壁部３７周辺を中心にホルダー４１を前転させようとするモーメントが生じ、ガイド筒４２を上方へ変位させようとする。これに対し、基端側当接部６３が第二壁部３７よりも上方へ大きく延びて第一壁部３６の上端近傍に後方から当接することで、前記モーメントと反対周りのモーメントを効果的に生じさせることができる。
【００４４】
上面切り欠き部６６の左右内側の後部には、内周側壁部５４の内側切り欠き部５４ｂに整合するように前方に張り出す内周側挟持部６８が形成されている。内周側挟持部６８は、第一部材５１の外周側挟持部５３ａの背枠内周側（下方）に位置しており、第一部材５１および第二部材６１を締結した状態で、内周側挟持部６８および外周側挟持部５３ａに第二壁部３７がその厚さ方向（概ね上下方向）で挟み込まれる。またこのとき、第一部材５１の外周側壁部５３の左右側部および第二部材６１の左右棚部６７に第二壁部３７の左右側部が厚さ方向で挟み込まれる。
【００４５】
このように、第一部材５１と第二部材６１との締結により、これらの間に第二壁部３７がその延出方向および厚さ方向の二方向で挟圧され、突出部３５にホルダー４１を強固に固定可能となる。
ホルダー４１は、上杆部１７の左右内側に形成される一対のリブ３９の間に配置されることで、上杆部１７に対する左右方向の位置決めがなされている。
【００４６】
以上説明したように、上記実施形態における椅子１の背凭れ６では、背枠１１と、該背枠１１の前面側に架設されて荷重受面１２ａを形成する張材１２と、を備え、前記背枠１１は、枠本体部３１から背枠内周側へ突出するとともにオプション部品（ハンガーユニット４０）を取り付け可能な突出部３５を備え、前記突出部３５は、前記枠本体部３１の背面３１ｂと連続するように背枠内周側へ延びる第一壁部３６と、該第一壁部３６の延出端から前記張材１２側へ延びる第二壁部３７と、を有し、前記枠本体部３１に沿って延在している。
【００４７】
この構成によれば、背枠１１におけるオプション部品を取り付けるための突出部３５が、枠本体部３１の背面３１ｂと連続するように延びる第一壁部３６を有するとともに、枠本体部３１に沿って延在するので、オプション部品の取り付け部となる突出部３５と枠本体部３１とが一体的な外観を形成し、背枠１１が太く屈強な外観を演出するとともに、突出部３５が実際に背枠１１の補強となり、背枠１１の剛性およびオプション部品の取り付け剛性を高めることができる。
また、突出部３５は、第一壁部３６の延出端から張材１２側へ延びる第二壁部３７を有するので、より効果的かつ軽量な補強となり、さらに張材１２と反対側（背面側）への張り出しも抑え、背枠１１の小型化を図ることができる。
そして、オプション部品が背枠１１の内周側に取り付けられるので、オプション部品が背枠１１に外嵌するような構成に比べて、オプション部品の有無による外観の変化を抑えることができる。
【００４８】
また、上記椅子の背凭れでは、前記突出部３５は、前記第一壁部３６および前記第二壁部３７の間に屈曲部３８を有する断面Ｌ字形状をなして延在している。
この構成によれば、突出部３５の剛性をより効果的に確保し、かつ突出部３５の成形も容易にすることができる。
【００４９】
また、上記椅子の背凭れでは、前記第二壁部３７の延出端３７ａと前記張材１２とが互いに離間している。
この構成によれば、オプション部品の取り付け部が突出部３５の張材１２側に回り込むような構成であっても、オプション部品の取り付けを容易にすることができる。また、突出部３５と張材１２との間に指を入れることで、突出部３５を取っ手として利用することが可能となり、別途の取っ手を設けることなく椅子１の取り回しを容易にすることができる。
【００５０】
また、上記実施形態における椅子１では、上記した背凭６と、前記突出部に取り付けられるオプション部品と、を備え、前記オプション部品は、前記第二壁部３７の延出端側から前記第二壁部３７に被嵌する嵌合凹部５２を有する第一部材５１と、前記第一部材５１に背枠内周側から当接する内周側当接部６２、および前記第二壁部３７に基端側から当接する基端側当接部６３を有する第二部材６１と、前記第一部材５１および前記第二部材６１を一体に締結して前記突出部３５を挟持させる締結手段（締結ボルト７２およびナット７３）と、を備えている。
この構成によれば、第一部材５１の嵌合凹部５２と第二部材６１の基端側当接部６３とで第二壁部３７を挟み込み、嵌合凹部５２からの第二壁部３７の離脱を規制した状態で、オプション部品が締結手段を用いて突出部３５を挟持するので、突出部３５の近傍という小さな領域のみでオプション部品の取り付けを完結させることができる。したがって、オプション部品を有する状態と有さない状態において、外観上の印象に大きな差異を無くすことができる。
【００５１】
また、上記椅子の背凭れでは、前記第一部材５１は、前記内周側当接部６２に背枠外周側から当接する外周側当接部５６を有し、前記締結手段は、背枠内周側から前記内周側当接部６２および前記外周側当接部５６を貫通して前記第一部材５１に螺着される締結ボルト７２を有し、前記内周側当接部６２および前記外周側当接部５６の少なくとも一方には、前記締結ボルト７２と直交する平面に対して傾斜する傾斜面５６ａ，６２ａが形成され、前記第一部材５１および前記第二部材６１は、前記締結ボルト７２を締め込むほど前記傾斜面５６ａ，６２ａに沿って摺動し、前記第二壁部３７を延出方向で挟み込み可能とされている。
この構成によれば、第一部材５１と第二部材６１とが締結ボルト７２により締結されたとき、第一部材５１および第二部材６１が傾斜面５６ａ，６２ａに沿って互いに摺動して第二壁部３７を延出方向で挟み込むので、突出部３５に対してオプション部品を堅牢に取り付けることができる。
また、締結ボルト７２は背枠内周側から取り付けられるので、締結ボルト７２が第二壁部３７の延出方向に沿うように背面側から取り付けられる場合と比べて、締結ボルト７２が目立たなくなり、その上で第二部材６１を延出方向で挟み込んでオプション部品を取り付けることができる。
また、第二壁部３７、すなわち背枠１１側にナット又はボルト挿通孔を設ける必要が無くなるので、オプション非装着時における外観体裁の変化をより小さくすることができる。また、これに付随し、オプション付き仕様とオプション無し仕様とを共通化することができるので、管理コストを小さくすることができる。
このように、第一部材５１および第二部材６１並びにこれらに支持されるオプション部品を、背凭れ６に対して堅牢に支持し、かつ外観性を良好にすることができる。
【００５２】
また、上記椅子の背凭れでは、前記第一部材５１は、前記嵌合凹部５２の背枠外周側で前記第二壁部３７に当接可能な外周側挟持部５３ａを有し、前記第二部材６１は、前記第二壁部３７を挟んで前記外周側挟持部５３ａの背枠内周側に位置して前記第二壁部３７に背枠内周側から当接可能な内周側挟持部６８を有し、前記締結手段７１により前記第一部材５１および前記第二部材６１を締結した状態で、前記外周側挟持部５３ａと前記内周側挟持部６８との間に前記第二壁部３７が延出方向と直交する厚さ方向で挟み込まれている。
この構成によれば、第一部材５１および第二部材６１の締結時には、第二壁部３７が延出方向と直交する厚さ方向でも挟持されるので、より強固な取り付け構造とすることができる。
【００５３】
なお、本発明は上記実施形態に限られるものではなく、例えば、本発明を適用する椅子の背凭れは、荷重受面を形成する張材を有するものに限らず、背板、クッション材及び表皮材を含むクッションタイプの面材を有するものであってもよい。また、背枠の上杆部に限らず縦杆部および下杆部等の任意の部位に適用してもよい。また、取り付けるオプション部品は、ハンガーの他、ヘッドレスト、音等を遮る遮蔽部材、肘置き、テーブル、他機器の連結部材、等の様々な製品が考えられる。
そして、上記実施形態における構成は本発明の一例であり、当該発明の要旨を逸脱しない範囲で種々の変更が可能である。
【符号の説明】
【００５４】
１  椅子
６  背凭れ
１１  背枠
１２  張材（面材）
１２ａ  荷重受面
３１  枠本体部
３１ｂ  背面
３５  突出部
３６  第一壁部
３７  第二壁部
３７ａ  延出端
３８  屈曲部
４０  ハンガーユニット（オプション部品）
５１  第一部材
５２  嵌合凹部
５３ａ  外周側挟持部
５６  外周側当接部
５６ａ  第一傾斜面
６１  第二部材
６２  内周側当接部
６２ａ  第二傾斜面
６３  基端側当接部
６８  内周側挟持部
７２  締結ボルト（締結手段）
７３  ナット（締結手段）
【図１】
0006635750.tif 000002
【図２】
0006635750.tif 000003
【図３】
0006635750.tif 000004
【図４】
0006635750.tif 000005
【図５】
0006635750.tif 000006
【図６】
0006635750.tif 000007
【図７】
0006635750.tif 000008
【図８】
0006635750.tif 000009
【図９】
0006635750.tif 000010
【図１０】
0006635750.tif 000011
【図１１】
0006635750.tif 000012